(57)【要約】  ＣＭを視聴しない限り本編コンテンツを視聴することが出来ない動画配信を実現する動画配信装置を提供するために、動画配信装置１００に、第１の動画符号化データと第１の動画再生パラメータとで構成される動画データを取得する第１の動画情報取得手段１０１と、第２の動画再生パラメータを取得する第２の動画再生パラメータ取得手段１０２と、動画データに第２の動画再生パラメータを結合して結合送信データを生成する送信データ生成手段１０３と、この結合送信データを配信先に送信する動画送信手段１０４と、を備える。
2008111136.tif 000002
【特許請求の範囲】
【請求項１】
任意の動画情報を符号化した動画符号化データと、該動画符号化データの再生に必要な動画再生パラメータと、を独立して配信できる動画配信装置において、
第１の動画情報を符号化した第１の動画符号化データと、該第１の動画符号化データの再生に必要なパラメータである第１の動画再生パラメータと、で構成される動画データを取得する第１の動画情報取得手段と、
第２の動画情報を符号化した第２の動画符号化データの再生に必要なパラメータである第２の動画再生パラメータを取得する第２の動画再生パラメータ取得手段と、
前記動画データに前記第２の動画再生パラメータを結合してパラメータ付き送信データを生成する送信データ生成手段と、
該パラメータ付き送信データを、前記第２の動画情報の配信先に送信する動画送信手段と、
を備える動画配信装置。
【請求項２】
前記第２の動画情報を符号化した第２の動画符号化データを取得する第２の動画符号化データ取得手段をさらに備え、
前記動画送信手段は、前記パラメータ付き送信データの送信後に、前記第２の動画符号化データを送信する、ことを特徴とする請求項１に記載の動画配信装置。
【請求項３】
前記送信データ生成手段は、前記第２の動画再生パラメータを前記動画データ内に分散して配するように結合してパラメータ付き送信データを生成する、ことを特徴とする請求項１に記載の動画配信装置。
【請求項４】
前記動画再生パラメータは、前記動画符号化データを所定の規則に従って再生するために必要なパラメータである、ことを特徴とする請求項１に記載の動画配信装置。
【請求項５】
前記第１及び第２の動画再生パラメータは、前記動画符号化データ全体の再生に必要なパラメータと、該動画符号化データの一部の再生に必要なパラメータと、で構成されている、ことを特徴とする請求項１に記載の動画配信装置。
【請求項６】
任意の動画情報を符号化した動画符号化データと、該動画符号化データの再生に必要な動画再生パラメータと、を独立して配信可能な動画配信方法において、
第１の動画情報を符号化した第１の動画符号化データと、該第１の動画符号化データの再生に必要なパラメータである第１の動画再生パラメータと、で構成される動画データを記憶する第１の動画情報記憶手段から、該動画データを取得する第１の動画情報取得処理と、
第２の動画情報を符号化した第２の動画符号化データの再生に必要なパラメータである第２の動画再生パラメータを記憶する第２の動画再生パラメータ記憶手段から、該第２の動画再生パラメータを取得する第２の動画再生パラメータ取得処理と、
前記動画データに前記第２の動画再生パラメータを結合してパラメータ付き送信データを生成する送信データ生成処理と、
該パラメータ付き送信データを、前記第２の動画情報の配信先に送信する動画送信処理と、
を行う動画配信方法。
【請求項７】
前記パラメータ付き送信データの送信後に、前記第２の動画情報を符号化した第２の動画符号化データを記憶する第２の動画符号化データ記憶手段から、該第２の動画符号化データを取得する第２の動画符号化データ取得処理をさらに行って、該第２の動画符号化データを送信する、ことを特徴とする請求項６に記載の動画配信方法。
【請求項８】
前記送信データ生成処理は、前記第２の動画再生パラメータを前記動画データ内に分散して配するように結合してパラメータ付き送信データを生成する、ことを特徴とする請求項６に記載の動画配信方法。
【請求項９】
前記動画再生パラメータは、前記動画符号化データを所定の規則に従って再生するために必要なパラメータである、ことを特徴とする請求項６に記載の動画配信方法。
【請求項１０】
前記第１及び第２の動画再生パラメータは、前記動画符号化データ全体の再生に必要なパラメータと、該動画符号化データの一部の再生に必要なパラメータと、で構成されている、ことを特徴とする請求項６に記載の動画配信方法。
【請求項１１】
任意の動画情報を符号化した動画符号化データと、該動画符号化データの再生に必要な動画再生パラメータと、を独立して配信可能な動画配信を行うためのプログラムであって、
第１の動画情報を符号化した第１の動画符号化データと、該第１の動画符号化データの再生に必要なパラメータである第１の動画再生パラメータと、で構成される動画データを記憶する第１の動画情報記憶手段から、該動画データを取得する第１の動画情報取得処理と、
第２の動画情報を符号化した第２の動画符号化データの再生に必要なパラメータである第２の動画再生パラメータを記憶する第２の動画再生パラメータ記憶手段から、該第２の動画再生パラメータを取得する第２の動画再生パラメータ取得処理と、
前記動画データに前記第２の動画再生パラメータを結合してパラメータ付き送信データを生成する送信データ生成処理と、
該パラメータ付き送信データを、前記第２の動画情報の配信先に送信する動画送信処理と、
を情報処理装置に実行させるプログラム。
【請求項１２】
前記パラメータ付き送信データの送信後に、前記第２の動画情報を符号化した第２の動画符号化データを記憶する第２の動画符号化データ記憶手段から、該第２の動画符号化データを取得する第２の動画符号化データ取得処理をさらに行って、該第２の動画符号化データを送信する処理を行う、ことを特徴とする請求項１１に記載のプログラム。
【請求項１３】
前記送信データ生成処理は、前記第２の動画再生パラメータを前記動画データ内に分散して配するように結合してパラメータ付き送信データを生成する、ことを特徴とする請求項１１に記載のプログラム。
【請求項１４】
前記動画再生パラメータは、前記動画符号化データを所定の規則に従って再生するために必要なパラメータである、ことを特徴とする請求項１１に記載のプログラム。
【請求項１５】
前記第１及び第２の動画再生パラメータは、前記動画符号化データ全体の再生に必要なパラメータと、該動画符号化データの一部の再生に必要なパラメータと、で構成されている、ことを特徴とする請求項１１に記載のプログラム。
【発明の詳細な説明】
【技術分野】
【０００１】
本発明は、動画を配信する動画配信装置に関する。
【背景技術】
【０００２】
従来、地上波放送では、映画やドラマ等といった本編コンテンツ間に広告（以下、単に「ＣＭ（Ｃｏｍｍｅｒｃｉａｌ  Ｍｅｓｓａｇｅ）」という）を組み込んで動画を配信する広告収入型動画配信サービスが一般的である。また、近年、放送と通信の融合により、インターネット等のネットワークを利用して広告収入型動画配信サービスが普及してきている。【０００３】
一方で、配信された動画を録画する録画装置も様々な便利な機能を備えるようになり、動画からＣＭのみを容易にカットする機能を備える録画装置も普及するようになった。そのため、ＣＭを視聴することなく本編コンテンツのみを視聴するケースが増加している。【０００４】
広告収入型動画配信サービスでは、ＣＭを配信することで広告主から広告料（利益）を得ている。この広告料が動画の制作等の財源となる。したがって、視聴者にＣＭを視聴してもらわなければ、当該サービスが成り立たなくなるという問題がある。【０００５】
この問題を解決するための技術として、特許文献１には、暗号化等のスクランブル処理が施されたコンテンツを再生時に復号化して再生するコンテンツ再生装置において、コンテンツの再生とＣＭの再生とを待ち合わる機構を設けることにより、本編コンテンツとＣＭとを連続的に切れ目なく交互に再生することができるコンテンツ再生装置について開示されている。【０００６】
また、特許文献２には、コンテンツ対象及び著作権対象に基づく管理機構を使用して、ストリーミング・メディアに対する著作権を管理する装置について開示されている。
しかし、例えば、特許文献１のように、動画送信装置側で本編コンテンツを暗号化すると、再生装置側に、ＣＭの中から復号鍵を抽出して暗号を解読する特別な装置が必要となるという問題があった。
【特許文献１】特開２００３−３３３５６６号公報
【特許文献２】特表２００５−５１３６６４号公報
【発明の開示】
【０００７】
本発明は、上述した問題に鑑みてなされたものであり、その解決しようとする課題は、ＣＭを視聴しない限り本編コンテンツを視聴することが出来ない動画配信を容易に実現する動画配信装置を提供することである。
【０００８】
上記課題を解決するために、本発明に係る動画配信装置は、任意の動画情報を符号化した動画符号化データと、該動画符号化データの再生に必要な動画再生パラメータと、を独立して配信できる動画配信装置において、第１の動画情報を符号化した第１の動画符号化データと、該第１の動画符号化データの再生に必要なパラメータである第１の動画再生パラメータと、で構成される動画データを取得する第１の動画情報取得手段と、第２の動画情報を符号化した第２の動画符号化データの再生に必要なパラメータである第２の動画再生パラメータを取得する第２の動画再生パラメータ取得手段と、前記動画データに前記第２の動画再生パラメータを結合して結合送信データを生成する送信データ生成手段と、該結合送信データを、前記第２の動画情報の配信先に送信する動画送信手段と、を備える。
【０００９】
本発明によると、送信データ生成手段が、第１の動画情報を符号化した第１の動画符号化データと第１の動画符号化データの再生に必要な第１の動画再生パラメータとで構成される動画データに、第２の動画情報を符号化した第２の動画符号化データの再生に必要な第２の動画再生パラメータを結合して結合送信データを生成する。そして、動画送信手段が結合送信データを送信する。
【００１０】
したがって、第２の動画情報、すなわち、第２の動画符号化データを再生するためには、結合送信データを受信して第２の動画再生パラメータを取得しなければならない。その結果、第１の動画情報を再生（視聴）しない限り第２の動画情報を再生（視聴）することができない動画配信を実現することが可能となる。
【００１１】
以上に説明したように、本発明によると、ＣＭを視聴しない限り本編コンテンツを視聴することが出来ない動画配信を容易に実現する動画配信装置を提供することができる。
【図面の簡単な説明】
【００１２】
【図１】本発明の実施例に係る動画配信装置の動作原理について説明する図である。
【図２】本発明の実施例に係る動画配信装置の構成例を示す図である。
【図３】本発明の実施例に係る動画符号化データと動画再生パラメータの関係を示す図である。
【図４】本発明の実施例に係るビットストリームの概要を示す図である。
【図５】本発明の実施例に係るＳＰＳ、ＰＰＳ及び動画符号化データの具体的な構成例について示す図である。
【図６】本発明の実施例に係るビットストリームの例を示す図である。
【図７】本発明の実施例に係る本編コンテンツ符号化データの管理テーブルの例を示す図である。
【図８】本発明の実施例に係る本編符号化データの構成例を示す図である。
【図９】本発明の実施例に係る本編コンテンツ再生パラメータの管理テーブルの例を示す図である。
【図１０】本発明の実施例に係る本編再生パラメータの構成例を示す図である。
【図１１】本発明の実施例に係るＣＭストリームの管理テーブルの例を示す図である。
【図１２】本発明の実施例に係るＣＭストリームの構成例を示す図である。
【図１３】本発明の実施例に係る結合ＣＭストリームの生成処理の概要を示す図である。
【図１４】本発明の実施例に係る動画配信装置の配信処理を示すフローチャートである。
【図１５】本実施例に係る動画再生装置の再生処理を示すフローチャートである。
【図１６】図１５に示した再生処理についての概要を示す図である。
【図１７】図１５に示した再生処理についての概要を示す図である。
【発明を実施するための最良の形態】
【００１３】
以下、本発明の実施の形態について図１〜図１７に基づいて説明する。
図１は、本発明の実施例に係る動画配信装置１００の動作原理について説明する図である。【００１４】
図１に示すように、本実施例に係る動画配信装置１００は、第１の動画符号化データと第１の動画再生パラメータとで構成される動画データを取得する第１の動画情報取得手段１０１と、第２の動画再生パラメータを取得する第２の動画再生パラメータ取得手段１０２と、動画データに第２の動画再生パラメータを結合して結合送信データを生成する送信データ生成手段１０３と、この結合送信データを配信先に送信する動画送信手段１０４と、を備える。【００１５】
ここで、動画配信装置１００は、例えば、映画やドラマ、ＣＭといった任意の動画情報を符号化した動画符号化データと、この動画符号化データの再生に必要な動画再生パラメータと、を独立・分離して、又は、１つの動画データにして配信先に送信する動画配信装置である。【００１６】
第１の動画符号化データは、第１の動画情報を符号化した動画符号化データである。また、第１の動画再生パラメータは、第１の動画符号化データの再生に必要な動画再生パラメータである。同様に、第２の動画符号化データは、第２の動画情報を符号化した動画符号化データであり、第２の動画再生パラメータは、第２の動画符号化データの再生に必要な動画再生パラメータである。【００１７】
第１の動画情報取得手段１０１は、例えば、第１の動画情報についての動画データを記憶する第１の動画情報記憶装置から、第１の動画情報についての動画データを取得する。
第２の動画再生パラメータ取得手段１０２は、例えば、第２の動画情報についての動画データ（又は第２の動画再生パラメータ）を記憶する第２の動画情報記憶装置（又は第２の動画再生パラメータ記憶装置）から第２の動画再生パラメータを取得する。【００１８】
ここで、第１の動画情報は、第２の動画情報を視聴するにあたって必ず視聴させたい、例えば、ＣＭ等のコンテンツ（以下、「ＣＭコンテンツ」という）である。また、第２の動画情報は、例えば、映画やドラマなどのコンテンツ（以下、「本編コンテンツ」という）である。【００１９】
送信データ生成手段１０３は、第１の動画情報取得手段１０１が取得した第１の動画情報についての動画データと、第２の動画再生パラメータ取得手段１０２が取得した第２の動画再生パラメータと、を結合して結合送信データを生成する。【００２０】
動画送信手段１０４は、第２の動画情報の配信先に、送信データ生成手段１０３が生成した結合送信データを送信する。なお、図示しないが、動画送信手段１０４は、結合送信データの送信が完了すると、第２の動画符号化データを第２の動画情報の配信先に送信する。【００２１】
第２の動画情報を視聴する場合、第２の動画符号化データと、第２の動画再生パラメータと、が必要となる。そのため、視聴者は、先に送信された結合送信データから、第２の動画再生パラメータを取得しなくてはならない。したがって、必ず第１の動画情報を視聴しなければ第２の動画情報を視聴することができないようにすることが可能となる。【００２２】
図２は、本発明の実施例に係る動画配信装置１００の構成例を示す図である。
図に示す動画配信装置１００は、ＣＭストリームを記憶するＣＭストリーム記憶装置２０１と、本編コンテンツ再生パラメータを記憶する本編コンテンツ再生パラメータ記憶装置２０２と、ＣＭストリームに本編コンテンツ再生パラメータを結合して結合ＣＭストリームを生成するビットストリーム結合装置２０３と、本編コンテンツ符号化データを記憶する本編コンテンツ符号化データ記憶装置２０４と、ＣＭストリーム及び本編ストリームを配信先に送信する動画送信装置２０５と、を備える。【００２３】
なお、動画配信装置１００を構成するＣＭストリーム記憶装置２０１、本編コンテンツ再生パラメータ記憶装置２０２、ビットストリーム結合装置２０３、本編コンテンツ符号化データ記憶装置２０４及び動画送信装置２０５は、それぞれ独立した装置であってもよい。すなわち、ネットワークや専用線によって互いが通信可能に接続されていてもよい。【００２４】
動画配信装置１００は、配信先である動画再生装置２０６とネットワーク等によって接続されている。ただし、本実施例ではネットワーク等によって接続している場合を示すが、電気的又は電磁的に信号の送受信ができればよく、有線・無線は問わない。また、放送のように、動画配信装置１００から配信先への一方的な送信であってもよい。【００２５】
本編コンテンツ符号化データは、例えば、映画やドラマといった本編コンテンツを符号化したデータである。例えば、１又は２以上の本編コンテンツ符号化データ０、１、・・・、で構成される。また、本編コンテンツ再生パラメータは、本編コンテンツ符号化データの一部又は全部の再生に必要なパラメータである。例えば、本編コンテンツ全部再生パラメータ（後述のＳＰＳ）０、１、・・・と、本編コンテンツ部分再生パラメータ（後述のＰＰＳ）０、１、・・・と、で構成される。【００２６】
本実施例に係るＣＭストリームは、本編コンテンツの前後や間に挿入するＣＭコンテンツを符号化したＣＭコンテンツ符号化データと、ＣＭコンテンツ符号化データの再生に必要なパラメータであるＣＭコンテンツ再生パラメータと、で構成される。【００２７】
ＣＭコンテンツ符号化データは、例えば、１又は２以上のＣＭコンテンツ符号化データ０、１、・・・、で構成される。また、ＣＭコンテンツ再生パラメータは、例えば、ＣＭコンテンツ全部再生パラメータ（後述のＳＰＳ）０、１、・・・と、ＣＭコンテンツ部分再生パラメータ（後述のＰＰＳ）０、１、・・・と、で構成される。【００２８】
ビットストリーム結合装置２０３は、例えば、本編コンテンツ全部再生パラメータ０、１、・・・及び本編コンテンツ部分再生パラメータ０、１、・・・を、ＣＭストリーム（例えば、ＣＭコンテンツ全部再生パラメータ０、１、・・・及びＣＭコンテンツ部分再生パラメータ０、１、・・・の間や前後）に分散して結合して結合ＣＭストリームを生成する。【００２９】
なお、本実施例では、本編コンテンツ再生パラメータをＣＭストリーム（特に、ＣＭコンテンツ再生パラメータ）内に分散して結合（挿入）する場合について説明するが、必要に応じて所定の規則にしたがった配置となるように結合してもよいのは当然である。【００３０】
動画配信装置１００が、（１）動画再生装置２０６から本編コンテンツの送信要求を受けると、（２）動画送信装置２０５がビットストリーム結合装置２０３に対してＣＭを要求する。すると、（３）ビットストリーム結合装置２０３は、本編コンテンツ再生パラメータ記憶装置２０２に対して本編コンテンツパラメータの送信要求を行うとともに、（４）ＣＭストリーム記憶装置２０１に対してＣＭストリームの送信要求を行う。（５）本編コンテンツ再生パラメータ記憶装置２０２は、ビットストリーム結合装置２０３に対して本編コンテンツ再生パラメータを送信し、（６）ＣＭストリーム記憶装置２０１は、ビットストリーム結合装置２０３に対してＣＭストリームを送信する。【００３１】
本編コンテンツ再生パラメータとＣＭストリームを受信すると、ビットストリーム結合装置２０３は、（７）本編コンテンツ再生パラメータをＣＭストリームに分散して挿入し、結合ＣＭストリームを生成する。そして、動画送信装置２０５に結合ＣＭストリームを送信する。【００３２】
結合ＣＭストリームを受信すると、（８）動画送信装置２０５は、配信先の動画再生装置２０６に対して結合ＣＭストリームを送信し、（９）本編コンテンツ符号化データ記憶装置２０４に対して、結合ＣＭストリームの送信が完了したことを通知する（本編コンテンツ符号化データを要求する）。【００３３】
本編コンテンツ符号化データ記憶装置２０４は、（１０）動画送信装置２０５の要求に応じて、所定の本編コンテンツ符号化データを読み出して送信する（この時のデータを、「本編ストリーム」という）。【００３４】
本編ストリームを受信すると、（１１）動画送信装置２０５は、配信先の動画再生装置２０６に対して本編ストリームを送信する。
以上に説明した構成において、図１で説明した第１の動画情報、第１の動画符号化データ及び第１の動画再生パラメータは、ＣＭコンテンツ、ＣＭコンテンツ符号化データ及びＣＭコンテンツ再生パラメータにそれぞれ対応する。【００３５】
また、第２の動画情報、第２の動画符号化データ及び第２の動画再生パラメータは、本編コンテンツ、本編コンテンツ符号化データ及び本編コンテンツ再生パラメータにそれぞれ対応する。結合送信データは結合ＣＭストリームに対応する。【００３６】
そして、第１の動画情報取得手段１０１、第２の動画再生パラメータ取得手段１０２及び送信データ生成手段１０３は、ビットストリーム結合装置２０３によって実現される。動画送信手段１０４は、動画送信装置２０５によって実現される。【００３７】
以下、本実施例に係る動画配信装置１００の具体的な処理について説明する。
本実施例に係る動画符号化データ（本編コンテンツ符号化データ、ＣＭコンテンツ符号化データ）と動画再生パラメータ（本編コンテンツ再生パラメータ、ＣＭコンテンツ再生パラメータ）は、互いに完全分離して取り扱うことが可能な動画符号化方式で生成されたデータである。【００３８】
本実施例は、上記動画符号化方式としてＨ．２６４／ＭＰＥＧ−４ＡＶＣ（以下、「Ｈ．２６４」という）を使用する場合を例にして説明する。
図３は、本発明の実施例に係る動画符号化データと動画再生パラメータの関係を示す図である。【００３９】
Ｈ．２６４では、動画符号化処理を扱うＶＣＬ（Ｖｉｄｅｏ  Ｃｏｄｉｎｇ  Ｌａｙｅｒ）と、符号化された情報を伝送・蓄積する下位システムとの間にあるＮＡＬ（Ｎｅｔｗｏｒｋ  Ａｂｓｔｒａｃｔｉｏｎ  Ｌａｙｅｒ）と、が規定されている。そして、ＶＣＬで生成されるデータは、ＮＡＬにおいてＶＣＬユニット３０１と非ＶＣＬユニット３０２とに完全に分離して取り扱うことができる。【００４０】
本実施例に係る動画符号化データ（本編コンテンツ符号化データ、ＣＭコンテンツ符号化データ）は、ＶＣＬ  ＮＡＬユニットで構成される。また、本実施例に係る動画再生パラメータ（本編コンテンツ再生パラメータ、ＣＭコンテンツ再生パラメータ）は、非ＶＣＬ  ＮＡＬユニットで構成される。【００４１】
そして、本実施例に係る動画再生パラメータは、ＳＰＳ（Ｓｅｑｕｅｎｃｅ  Ｐａｒａｍｅｔｅｒ  Ｓｅｔ）０、１、・・・と、ＰＰＳ（Ｐｉｃｔｕｒｅ  Ｐａｒａｍｅｔｅｒ  Ｓｅｔ）０、１、・・・と、で構成される。【００４２】
なお、ＳＰＳは、本編コンテンツ符号化データやＣＭコンテンツ符号化データの全部の再生に必要なパラメータ（本編コンテンツ全部再生パラメータ、ＣＭコンテンツ全部再生パラメータ）である。また、ＰＰＳは、本編コンテンツ符号化データやＣＭコンテンツ符号化データの一部の再生に必要なパラメータ（本編コンテンツ部分再生パラメータ、ＣＭコンテンツ部分再生パラメータ）である。【００４３】
以上のように、動画再生パラメータは、その動画再生パラメータを参照する動画符号化データよりも前に再生装置に送信すればよく、動画再生パラメータと動画符号化データとは分離して配信することが可能である。言い換えると、動画再生パラメータがなければ、動画符号化データを復号化して再生することが出来ない。【００４４】
図４は、本発明の実施例に係るビットストリームの概要を示す図である。
Ｈ．２６４では、１つのビットストリームの中で、複数のシーケンスを扱うことができる。図４では、シーケンス１と２で１つのビットストリームを構成する場合についての概念図を示している。【００４５】
ＳＰＳ４０１ａは、シーケンスを識別するための番号であるＳＰＳ番号（例えば、ＳＰＳ１）を備える。そして、ＰＰＳ４０２ａの中でＳＰＳ番号を指定することで、当該ＰＰＳがどのシーケンスに属するかを識別することが出来る。また、ＰＰＳ４０２ａにも識別番号であるＰＰＳ番号（例えば、ＰＰＳ１）が備わっている。そして、動画符号化データ４０３ａ、４０３ｂ、・・・のヘッダ部でＰＰＳ番号を指定することで、各動画符号化データ４０３ａ、４０３ｂ、・・・がどのシーケンスに属するかを識別することができる。【００４６】
同様に、ＳＰＳ４０１ｂは、シーケンスを識別するための番号であるＳＰＳ番号（例えば、ＳＰＳ２）を備え、ＰＰＳ４０２ｂ、４０２ｃの中でＳＰＳ番号を指定することで、各ＰＰＳがどのシーケンスに属するかを識別することが出来る。また、ＰＰＳ４０２ｂ、４０２ｃにも識別番号であるＰＰＳ番号（例えば、ＰＰＳ２、ＰＰＳ３）を備え、動画符号化データ４０３ｌ、４０３ｍ、・・・のヘッダ部でＰＰＳ番号を指定することで、各動画符号化データ４０３ｌ、４０３ｍ、・・・がどのシーケンスに属するかを識別することができる。【００４７】
以上のように、ＳＰＳ、ＰＰＳ、動画符号化データは、階層構造の仕組みとなっている。
図５は、本発明の実施例に係るＳＰＳ、ＰＰＳ及び動画符号化データの具体的な構成例について示す図である。【００４８】
図４で示したように、ＳＰＳ４０１ａ、４０１ｂは、それぞれＳＰＳ番号１、２を備える。
ＰＰＳ４０２ａ、４０２ｂ、４０２ｃは、それぞれ自分が属するシーケンスのＳＰＳ番号を備える。例えば、ＰＰＳ４０２ａは、ＳＰＳ１のシーケンスに属するのでＳＰＳ番号１を備える。同様に、ＰＰＳ４０２ｂは、ＳＰＳ２のシーケンスに属するのでＳＰＳ番号２を備える。また、ＰＰＳ４０２ａ、４０２ｂ、４０２ｃは、識別番号１、２、３をそれぞれ備える。【００４９】
符号化データ４０３ａ、４０３ｂ、４０３ｃ、・・・、４０３ｌ、４０３ｍ、４０３ｎ、・・・は、それぞれ自分が属するシーケンスのＰＰＳ番号をヘッダ部の中に備える。
以上に示したように、本実施例に係るＳＰＳ、ＰＰＳ及び動画符号化データは、動画符号化データからＰＰＳを参照し、ＰＰＳからＳＰＳを参照できる階層構造となっている。【００５０】
図６は、本発明の実施例に係るビットストリームの例を示す図である。
図６に示すビットストリーム６００は、本編コンテンツＡをシーケンスＡ０、Ａ１に分割して符号化した場合におけるシーケンスＡ０のビットストリームの構成例を示している。【００５１】
図６に示すビットストリーム６００は、シーケンス番号Ａ０のＳＰＳ（以下、「Ａ０本編ＳＰＳ」という）と、シーケンス番号Ａ０のＰＰＳ０、１及び２（以下、「Ａ０本編ＰＰＳ０、１及び２」という）と、シーケンス番号Ａ０のコンテンツ符号化データ０、１及び２（以下、「Ａ０本編符号化データ０、１及び２」という）と、で構成される。なお、Ａ０本編ＰＰＳやＡ０本編符号化データの数を限定するものではない。【００５２】
Ａ０本編ＳＰＳは、Ａ０本編ＰＳＳ０、Ａ０本編ＰＳＳ１及びＡ０本編ＰＳＳ２から参照される。また、Ａ０本編ＰＳＳ０、Ａ０本編ＰＳＳ１及びＡ０本編ＰＳＳ２は、それぞれＡ０本編符号化データ０、Ａ０本編符号化データ１及びＡ０本編符号化データ２から参照される。【００５３】
以上に説明した、本編コンテンツ符号化データは、本編コンテンツ符号化データ記憶装置２０４に格納される。本編コンテンツ符号化データ記憶装置２０４では、複数の本編コンテンツ符号化データをシーケンス番号で管理している。【００５４】
図７は、本発明の実施例に係る本編コンテンツ符号化データの管理テーブル７００の例を示す図である。
図７に示す管理テーブル７００は、コンテンツ番号と、シーケンス番号と、動画符号化データの識別番号と、で構成される。例えば、コンテンツＡの本編コンテンツは、シーケンス番号Ａ０及びＡ１の２つのシーケンスに分割されている。そして、シーケンス番号Ａ０及びＡ１に、それぞれ本編符号化データ０及び１が割り当てられている。シーケンス番号Ｂ及びＣについても同様である。【００５５】
ここで、例えば、Ａの本編符号化データ０は、Ａ０本編符号化データ０、１及び２で構成される。Ａの本編符号化データ０の構成例を図８に示す。図８に示すように、Ａの本編符号化データ０は、Ａ０本編符号化データ０と、Ａ０本編符号化データ１と、Ａ０本編符号化データ２と、が連続したデータとなる。なお、Ａ０本編符号化データの数を限定するものではない。【００５６】
本編コンテンツ再生パラメータは、本編コンテンツ再生パラメータ記憶装置２０２に格納される。本編コンテンツ再生パラメータ記憶装置２０２も、本編コンテンツ符号化データ記憶装置２０４と同様に、複数の本編コンテンツ再生パラメータをシーケンス番号で管理している。【００５７】
図９は、本発明の実施例に係る本編コンテンツ再生パラメータの管理テーブル９００の例を示す図である。
図９に示す管理テーブル９００は、コンテンツ番号と、シーケンス番号と、動画再生パラメータの識別番号と、で構成される。例えば、コンテンツＡの本編コンテンツは、シーケンス番号Ａ０及びＡ１の２つのシーケンスに分割されている。そして、シーケンス番号Ａ０及びＡ１に、それぞれ本編再生パラメータ０及び１が割り当てられている。シーケンス番号Ｂ及びＣについても同様である。【００５８】
ここで、例えば、Ａの本編再生パラメータ０は、Ａ０本編ＳＰＳ、Ａ０本編ＰＰＳ０、１及び２で構成される。Ａの本編再生パラメータ０の構成例を図１０に示す。図１０に示すように、Ａの本編再生パラメータ０は、Ａ０本編ＳＰＳと、Ａ０本編ＰＰＳ０と、Ａ０本編ＰＰＳ１と、Ａ０本編ＰＰＳ２と、が連続したデータとなる。【００５９】
ＣＭコンテンツ符号化データとＣＭコンテンツ再生パラメータは、１つのビットストリームとしてＣＭストリーム記憶装置２０１に記憶される。ＣＭストリーム記憶装置２０１は、複数のＣＭストリームをシーケンス番号で管理している。【００６０】
図１１は、本発明の実施例に係るＣＭストリームの管理テーブル１１００の例を示す図である。
図１１に示す管理テーブル１１００は、コンテンツ番号と、シーケンス番号と、ＣＭストリームの識別番号と、で構成される。例えば、コンテンツＡのＣＭストリームは、シーケンス番号Ａ０及びＡ１の２つのシーケンスに分割されている。そして、シーケンス番号Ａ０及びＡ１に、それぞれＣＭストリーム０及び１が割り当てられている。シーケンス番号Ｂ及びＣについても同様である。【００６１】
ここで、ＡのＣＭストリーム０の構成例を図１２に示す。図１２に示すように、ＡのＣＭストリーム０は、シーケンス番号Ａ０のＳＰＳ（以下、「Ａ０ＣＭＳＰＳ」という）と、シーケンス番号Ａ１のＰＰＳ０及び１（以下、「Ａ０ＣＭＰＰＳ０及び１」という）と、シーケンス番号Ａ０のコンテンツ符号化データ０及び１（以下、「Ａ０ＣＭ符号化データ０及び１」という）と、を備える。なお、Ａ０ＣＭＰＰＳやＡ０ＣＭ符号化データの数を限定するものではない。【００６２】
Ａ０ＣＭＳＰＳは、Ａ０ＣＭＰＰＳ０及び１から参照される。また、Ａ０ＣＭＰＰＳ０及びＡ０ＣＭＰＰＳ１は、それぞれＡ０ＣＭ符号化データ０及びＡ０ＣＭ符号化データ１から参照される。【００６３】
図１３は、本発明の実施例に係る結合ＣＭストリームの生成処理の概要を示す図である。
図１３には、コンテンツＡについてのシーケンス番号Ａ０のＣＭストリーム１３０１及び１３０２と、本編再生パラメータ１３０３と、を結合して、結合ＣＭストリーム１３０４及び１３０５を生成する場合を示している。【００６４】
ＣＭストリーム１３０１は、図１２と同様に、Ａ０ＣＭ０ＳＰＳと、Ａ０ＣＭ０ＰＰＳ０及び１と、Ａ０ＣＭ０符号化データ０及び１と、を備え、ＣＭストリーム１３０２は、Ａ０ＣＭ１ＳＰＳと、Ａ０ＣＭ１ＰＰＳ０及び１と、Ａ０ＣＭ１符号化データ０及び１と、を備える。本編再生パラメータ１３０３は、図１０に示した本編再生パラメータと同様である。【００６５】
ビットストリーム結合装置２０３は、ＣＭストリーム記憶装置２０１からＣＭストリーム１３０１及び１３０２、本編コンテンツ再生パラメータ記憶装置２０２から再生パラメータ１３０３、をそれぞれ取得すると、再生パラメータ１３０３を、ＣＭストリーム１３０１及び１３０２の再生パラメータの前に挿入する。【００６６】
例えば、ビットストリーム結合装置２０３は、Ａ０本編ＳＰＳ、Ａ０本編ＰＰＳ０、Ａ０本編ＰＰＳ１、Ａ０本編ＰＰＳ２を、ＣＭストリーム１３０１及び１３０２の各動画再生パラメータＡ０ＣＭ０ＳＰＳ、Ａ０ＣＭ０ＰＰＳ１、Ａ０ＣＭ１ＳＰＳ、Ａ０ＣＭ１ＰＰＳ１の前に挿入・結合する。【００６７】
これにより、再生パラメータ１３０３を分散してＣＭストリーム１３０１及び１３０２内に挿入・結合することができる。
なお、挿入・結合処理は、上述の処理に限定するものではない。例えば、Ａ０本編ＳＰＳ、Ａ０本編ＰＰＳ０、Ａ０本編ＰＰＳ１、Ａ０本編ＰＰＳ２を、ＣＭストリーム１３０１及び１３０２の各動画再生パラメータＡ０ＣＭ０ＳＰＳ、Ａ０ＣＭ０ＰＰＳ１、Ａ０ＣＭ１ＳＰＳ、Ａ０ＣＭ１ＰＰＳ１の後に結合させてもよいし、ＣＭストリーム０符号化データ０、ＣＭストリーム０符号化データ１、ＣＭストリーム１符号化データ０、ＣＭストリーム１符号化データ１の前（又は後）に結合させてもよい。また、一定の規則にしたがって、ＣＭストリーム内に本編コンテンツ再生パラメータを挿入してもよい。【００６８】
図１４は、本発明の実施例に係る動画配信装置１００の配信処理を示すフローチャートである。
動画配信装置１００は、視聴者の動画再生装置２０６から本編コンテンツの送信要求を受付けると、動画配信処理を開始する（ステップＳ１４００）。以下、シーケンス番号Ａ０の本編コンテンツを送信する場合の処理について示す。【００６９】
ステップＳ１４０１において、動画配信装置１００は、Ａ０の本編コンテンツの再生に必要なパラメータ（本編コンテンツ再生パラメータ）を取得する。
例えば、動画送信装置２０５が、ビットストリーム結合装置２０３に対してＡ０のＣＭの送信要求を出力すると、ビットストリーム結合装置２０３は、Ａ０のＣＭの送信要求に応じ、本編コンテンツ再生パラメータ記憶装置２０２に対してＡ０の本編コンテンツ再生パラメータの送信要求を出力する。【００７０】
そして、本編コンテンツ再生パラメータ記憶装置２０２は、管理テーブル９００を参照し、Ａ０の本編コンテンツの再生に必要なパラメータ（本編コンテンツ再生パラメータ）を検索し、該当する本編コンテンツ再生パラメータを所定のアドレスから読み出してビットストリーム結合装置２０３に送信する。【００７１】
ステップＳ１４０２において、動画配信装置１００は、Ａ０のＣＭストリームを取得する。
例えば、ビットストリーム結合装置２０３が、ＣＭストリーム記憶装置２０１に対してＡ０のＣＭストリームの送信要求を出力すると、ＣＭストリーム記憶装置２０１は、Ａ０のＣＭストリームの送信要求に応じて、管理テーブル１１００を参照し、Ａ０の本編コンテンツの再生時に再生するＣＭストリームを検索する。そして、該当するＣＭストリーム０、ＣＭストリーム１、・・・を所定のアドレスから読み出してビットストリーム結合装置２０３に送信する。【００７２】
ステップＳ１４０３において、動画配信装置１００は、ステップＳ１４０１で取得した本編コンテンツ再生パラメータと、ステップＳ１４０２で取得したＣＭストリームと、を結合する。具体的な結合については、図１３で説明したとおりである。【００７３】
ただし、ＳＰＳ番号及びＰＰＳ番号は、ＣＭコンテンツ再生パラメータと本編コンテンツ再生パラメータとで異なる。
ここで、本編コンテンツ再生パラメータは、当該本編コンテンツ再生パラメータを参照する本編コンテンツ符号化データよりも前に動画再生装置２０６に送信されるＣＭストリームに結合する。これにより、本編コンテンツ再生パラメータと本編コンテンツ符号化データとの参照関係が保持される。【００７４】
ステップＳ１４０４において、動画配信装置１００は、ステップＳ１４０３で生成した結合ＣＭストリームを本編コンテンツの送信要求をした動画再生装置２０６に送信する。
例えば、ビットストリーム結合装置２０３は、ステップＳ１４０３で生成したＡ０の結合ＣＭストリームを動画送信装置２０５に送信する。動画送信装置２０５は、受信したＡ０の結合ＣＭストリームを、本編コンテンツの送信要求をした動画再生装置２０６にストリーミング配信する。【００７５】
ステップＳ１４０５において、動画配信装置１００は、Ａ０の本編コンテンツ符号化データを取得する。
例えば、動画送信装置２０５は、Ａ０の結合ＣＭストリームを全て配信すると、本編コンテンツ符号化データ記憶装置２０４に対して、Ａ０のＣＭ配信完了通知／データ送信要求を出力する。本編コンテンツ符号化データ記憶装置２０４は、Ａ０のＣＭ配信完了通知／データ送信要求を受信すると、管理テーブル７００を参照し、Ａ０の本編コンテンツ符号化データを検索し、該当する本編コンテンツ符号化データを所定のアドレスから読み出して動画送信装置２０５に送信する。【００７６】
ステップＳ１４０６において、動画配信装置１００は、ステップＳ１４０５で取得したＡ０の本編コンテンツ符号化データを、本編コンテンツの送信要求をした動画再生装置２０６に送信する。【００７７】
動画送信装置２０５は、本編コンテンツ符号化データ記憶装置２０４から受信したＡ０の本編コンテンツ符号化データを、本編コンテンツの送信要求をした動画再生装置２０６にストリーミング配信する。【００７８】
以上のように、本編コンテンツ再生パラメータを、ＣＭストリーム内（ＳＰＳ、ＰＰＳ、符号化データの前後）に分散して挿入・結合することによって、全てのＣＭストリームを受信して再生しなければ、本編再生パラメータを取得することが出来ないようにすることが可能となる。すなわち、全てのＣＭコンテンツを再生（視聴）しなければ、本編コンテンツを再生（視聴）することが出来ないようにすることが可能となる。【００７９】
図１５は、本実施例に係る動画再生装置２０６の再生処理を示すフローチャートである。動画再生装置２０６は、Ｈ．２６４の規格にしたがった再生処理を行う。したがって、詳細な説明については省略する。【００８０】
図１５には、本実施例に係る動画配信装置１００によって送信される結合ＣＭストリーム、本編ストリームの再生処理を示すフローチャートである。なお、本再生処理は、Ｈ．２６４の規格にしたがって行われる再生処理であるので、詳細な説明については省略する。【００８１】
動画再生装置２０６は、動画配信装置１００からストリーミングを受信すると、再生処理を開始する（ステップＳ１５００）。
ステップＳ１５０１において、動画再生装置２０６は、受信したストリーミングのＮＡＬユニットのヘッダ部を参照する。当該ＮＡＬユニットがＳＰＳである場合、処理をステップＳ１５０２に移行する。【００８２】
ステップＳ１５０２において、動画再生装置２０６は、ＳＰＳのＳＰＳＩＤ（ＳＰＳ  Ｉｄｅｎｔｉｆｉｃａｔｉｏｎ  Ｄａｔａ）を取得する。そして、ＳＰＳＩＤから、結合ＣＭストリームのＳＰＳか否かを判別する。ＳＰＳＩＤが結合ＣＭストリームのＩＤの場合、動画再生装置２０６は、処理をステップＳ１５０３に移行してＣＭコンテンツ用テーブルにＳＰＳを記憶する。そして、以後に続くＣＭコンテンツ符号化データの再生時に使用する。【００８３】
また、ＳＰＳＩＤが結合ＣＭストリームのＩＤでない場合、動画再生装置２０６は、処理をステップＳ１５０４に移行して本編コンテンツ用テーブルにＳＰＳを記憶する。そして、後に受信する本編ストリームの再生時に使用する。【００８４】
ステップＳ１５０１と同様に、ステップＳ１５０５において、動画配信装置１００は、受信したストリーミングのＮＡＬユニットのヘッダ部を参照する。当該ＮＡＬユニットがＰＰＳである場合、処理をステップＳ１５０６に移行する。【００８５】
ステップＳ１５０６において、動画再生装置２０６は、ＰＰＳのＰＰＳＩＤ（ＰＰＳ  Ｉｄｅｎｔｉｆｉｃａｔｉｏｎ  Ｄａｔａ）を取得する。そして、ＰＰＳＩＤから、結合ＣＭストリームのＰＰＳか否かを判別する。ＰＰＳＩＤが結合ＣＭストリームのＩＤの場合、動画再生装置２０６は、処理をステップＳ１５０７に移行してＣＭコンテンツ用テーブルにＰＰＳを記憶する。そして、以後に続くＣＭコンテンツ符号化データの再生時に使用する。【００８６】
また、ＰＰＳＩＤが結合ＣＭストリームのＩＤでない場合、動画再生装置２０６は、処理をステップＳ１５０８に移行して本編コンテンツ用テーブルにＰＰＳを記憶する。そして、後に受信する本編ストリームの再生時に使用する。【００８７】
ここで、結合ＣＭストリームが有するＣＭコンテンツのＳＰＳ、ＰＰＳ、本編コンテンツのＳＰＳ、ＰＰＳには、それぞれ識別子（ＳＰＳＩＤ、ＰＰＳＩＤ）が付され、ＣＭコンテンツのＳＰＳＩＤ、ＰＰＳＩＤと、本編コンテンツのＳＰＳＩＤ、ＰＰＳＩＤとは異なる。【００８８】
ステップＳ１５０１と同様に、ステップＳ１５０９において、動画再生装置２０６は、受信したストリーミングのＮＡＬユニットのヘッダ部を参照する。当該ＮＡＬユニットが動画符号化データの場合、動画再生装置２０６は、処理をステップＳ１５１０に移行する。【００８９】
ステップＳ１５１０において、動画再生装置２０６は、ステップＳ１５０５〜Ｓ１５０８の処理によって記憶したＰＰＳを取得する。結合ＣＭストリームの動画符号化データである場合はＣＭコンテンツ用テーブルから、本編ストリームの動画符号化データである場合は本編コンテンツ用テーブルから、ＰＰＳを読み出して所定のレジスタにセットする。【００９０】
ステップＳ１５１１において、動画再生装置２０６は、ステップＳ１５０１〜Ｓ１５０４の処理によって記憶したＳＰＳを取得する。この場合も、結合ＣＭストリームの動画符号化データである場合はＣＭコンテンツ用テーブルから、本編ストリームの動画符号化データである場合は本編コンテンツ用テーブルから、ＳＰＳを読み出して所定のレジスタにセットする。【００９１】
ステップＳ１５１２において、動画再生装置２０６は、ステップＳ１５１０でセットしたＰＰＳ、ステップＳ１５１１でセットしたＳＰＳにしたがって動画符号化データを復号化して再生する。そして、再生処理を終了する。ステップＳ１５０９において、当該ＮＡＬユニットが動画符号化データでない場合、動画再生装置２０６は、処理をステップＳ１５１４に移行して異常終了する。【００９２】
図１６及び図１７は、図１５に示した再生処理についての概要を示す図である。
図１６のストリームは、図１３で示した結合ＣＭストリーム１３０５である。
動画再生装置２０６は、結合ＣＭストリーム１３０５を受信すると、先頭のＮＡＬユニット（Ａ０本編ＰＰＳ１）のＰＰＳＩＤを読み出す。この場合、ＰＰＳＩＤは、結合ＣＭストリーム１３０５を示すＩＤでないので、Ａ０本編ＰＰＳ１を本編コンテンツ用テーブル１６０１に格納する。【００９３】
動画再生装置２０６は、次のＮＡＬユニット（Ａ０ＣＭ１ＳＰＳ）のＳＰＳＩＤを読み出す。この場合、ＳＰＳＩＤは、結合ＣＭストリーム１３０５を示すＩＤなので、Ａ０ＣＭ１ＳＰＳをＣＭコンテンツ用テーブル１６０２に格納する。同様に、Ａ０ＣＭ１ＰＰＳ０をＣＭコンテンツ用テーブル１６０２に格納する。【００９４】
次のＮＡＬユニットは動画符号化データ（Ａ０のＣＭ１動画符号化データ０）なので、ＣＭコンテンツ用テーブル１６０２から、Ａ０ＣＭ１ＳＰＳ、Ａ０ＣＭ１ＰＰＳ０を読み出してＣＭ１動画符号化データ０を再生する。【００９５】
動画再生装置２０６は、次のＮＡＬユニット（Ａ０本編ＰＰＳ２）のＰＰＳＩＤを読み出す。この場合、ＰＰＳＩＤは、結合ＣＭストリーム１３０５に示すＩＤでないので、Ａ０本編ＰＰＳ２を本編コンテンツ用テーブル１６０１に格納する。【００９６】
動画再生装置２０６は、次のＮＡＬユニット（Ａ０ＣＭ１ＰＰＳ１）のＰＰＳＩＤを読み出す。この場合、ＰＰＳＩＤは、結合ＣＭストリーム１３０５を示すＩＤなので、Ａ０ＣＭ１ＰＰＳ１をＣＭコンテンツ用テーブル１６０２に格納する。【００９７】
次のＮＡＬユニットは動画符号化データ（Ａ０のＣＭ１動画符号化データ１）なので、ＣＭコンテンツ用テーブル１６０２から、Ａ０ＣＭ１ＰＰＳ１を読み出してＣＭ１動画符号化データ１を再生する。【００９８】
以上の処理が結合ＣＭストリーム１３０４及び１３０５に対して行われると、本編コンテンツ用テーブル１６０１には、Ａ０本編ＳＰＳ、Ａ０本編ＰＰＳ０、Ａ０本編ＰＰＳ１及びＡ０本編ＰＰＳ２が格納される。【００９９】
そして、図１７に示すＡ０本編符号化データ０、符号化データ１及び符号化データ２で構成される本編ストリームを受信すると、動画再生装置２０６は、本編コンテンツ用テーブル１６０１から、Ａ０本編ＳＰＳ、Ａ０本編ＰＰＳ０、Ａ０本編ＰＰＳ１及びＡ０本編ＰＰＳ２を読み出して、本編ストリーム（Ａ０本編符号化データ０、符号化データ１及び符号化データ２）を再生する。【０１００】
以上に説明したように、本実施例に係る結合ＣＭストリームは、ＣＭストリーム内に本編コンテンツ再生パラメータを挿入・結合しただけなので、動画再生装置２０６はＨ．２６４の規格にしたがって再生すればよい。したがって、動画再生装置２０６に特別な処理等を追加することなく、全てのＣＭコンテンツを再生（視聴）しなければ、本編コンテンツを再生（視聴）することが出来ないようにすることが可能となる。【０１０１】
以上の説明では、ＣＭストリーム（ＣＭコンテンツ符号化データ、ＣＭコンテンツ再生パラメータ）、本編コンテンツ再生パラメータ及び本編コンテンツ符号化データは、それぞれＣＭストリーム記憶装置２０１、本編コンテンツ再生パラメータ記憶装置２０２及び本編コンテンツ符号化データ記憶装置２０４に記憶されている場合について説明したが、ビットストリーム結合装置２０３や動画送信装置２０５からの要求に応じて生成するようにしてもよい。【０１０２】
以上に説明したように、ＣＭストリームに本編コンテンツ再生パラメータを挿入・結合することによって、ＣＭコンテンツを再生（視聴）しなければ本編コンテンツを再生（視聴）することができないようにすることが可能となる。【０１０３】
また、動画配信装置１００が暗号化をする必要がないので、簡単な構成で動画配信装置１００を構成することが可能となる。したがって、小さなコストで本実施例に係る動画配信装置１００を実現することができる。【０１０４】
また、ＣＭストリームに本編コンテンツ再生パラメータを挿入・結合するだけなので、動画再生装置２０６に特別な処理や装置を追加する必要がないので、ＣＭコンテンツを再生（視聴）しなければ本編コンテンツを再生（視聴）することが出来なようにするか否かは、動画配信装置１００側で自由に設定することが出来る。
【図１】
2008111136.tif 000003
【図２】
2008111136.tif 000004
【図３】
2008111136.tif 000005
【図４】
2008111136.tif 000006
【図５】
2008111136.tif 000007
【図６】
2008111136.tif 000008
【図７】
2008111136.tif 000009
【図８】
2008111136.tif 000010
【図９】
2008111136.tif 000011
【図１０】
2008111136.tif 000012
【図１１】
2008111136.tif 000013
【図１２】
2008111136.tif 000014
【図１３】
2008111136.tif 000015
【図１４】
2008111136.tif 000016
【図１５】
2008111136.tif 000017
【図１６】
2008111136.tif 000018
【図１７】
2008111136.tif 000019
【手続補正書】
【提出日】平成21年2月25日(2009.2.25)
【手続補正１】
【補正対象書類名】特許請求の範囲
【補正対象項目名】全文
【補正方法】変更
【補正の内容】
【特許請求の範囲】
【請求項１】
任意の動画情報を符号化した動画符号化データと、該動画符号化データの再生に必要な動画再生パラメータと、を独立して配信できる動画配信装置において、
第１の動画情報を符号化した第１の動画符号化データと、該第１の動画符号化データの再生に必要なパラメータである第１の動画再生パラメータと、で構成される動画データを取得する第１の動画情報取得手段と、
第２の動画情報を符号化した第２の動画符号化データの再生に必要なパラメータである第２の動画再生パラメータを取得する第２の動画再生パラメータ取得手段と、
前記動画データに前記第２の動画再生パラメータを結合してパラメータ付き送信データを生成する送信データ生成手段と、
該パラメータ付き送信データを、前記第２の動画情報の配信先に送信する動画送信手段と、
を備える動画配信装置。
【請求項２】
前記第２の動画情報を符号化した第２の動画符号化データを取得する第２の動画符号化データ取得手段をさらに備え、
前記動画送信手段は、前記パラメータ付き送信データの送信後に、前記第２の動画符号化データを送信する、ことを特徴とする請求項１に記載の動画配信装置。
【請求項３】
前記送信データ生成手段は、前記第２の動画再生パラメータを前記動画データ内に分散して配するように結合してパラメータ付き送信データを生成する、ことを特徴とする請求項１に記載の動画配信装置。
【請求項４】
前記動画再生パラメータは、前記動画符号化データを所定の規則に従って再生するために必要なパラメータである、ことを特徴とする請求項１に記載の動画配信装置。
【請求項５】
前記第１及び第２の動画再生パラメータは、前記動画符号化データ全体の再生に必要なパラメータと、該動画符号化データの一部の再生に必要なパラメータと、で構成されている、ことを特徴とする請求項１に記載の動画配信装置。
【請求項６】
任意の動画情報を符号化した動画符号化データと、該動画符号化データの再生に必要な動画再生パラメータと、を独立して配信可能な動画配信方法において、
第１の動画情報を符号化した第１の動画符号化データと、該第１の動画符号化データの再生に必要なパラメータである第１の動画再生パラメータと、で構成される動画データを記憶する第１の動画情報記憶手段から、該動画データを取得する第１の動画情報取得処理と、
第２の動画情報を符号化した第２の動画符号化データの再生に必要なパラメータである第２の動画再生パラメータを記憶する第２の動画再生パラメータ記憶手段から、該第２の動画再生パラメータを取得する第２の動画再生パラメータ取得処理と、
前記動画データに前記第２の動画再生パラメータを結合してパラメータ付き送信データを生成する送信データ生成処理と、
該パラメータ付き送信データを、前記第２の動画情報の配信先に送信する動画送信処理と、
を行う動画配信方法。
【請求項７】
任意の動画情報を符号化した動画符号化データと、該動画符号化データの再生に必要な動画再生パラメータと、を独立して配信可能な動画配信を行うためのプログラムであって、
第１の動画情報を符号化した第１の動画符号化データと、該第１の動画符号化データの再生に必要なパラメータである第１の動画再生パラメータと、で構成される動画データを記憶する第１の動画情報記憶手段から、該動画データを取得する第１の動画情報取得処理と、
第２の動画情報を符号化した第２の動画符号化データの再生に必要なパラメータである第２の動画再生パラメータを記憶する第２の動画再生パラメータ記憶手段から、該第２の動画再生パラメータを取得する第２の動画再生パラメータ取得処理と、
前記動画データに前記第２の動画再生パラメータを結合してパラメータ付き送信データを生成する送信データ生成処理と、
該パラメータ付き送信データを、前記第２の動画情報の配信先に送信する動画送信処理と、
を情報処理装置に実行させるプログラム。
【国際調査報告】
2008111136.tif 000020
2008111136.tif 000021